(57)【特許請求の範囲】
【請求項１】
払拭体を装着して保持する保持部と、前記保持部と連結する連結端部を有した連結部と、を備え、前記連結部の後方側にハンドルを取着可能にし、前記保持部に対する前記連結部の傾斜角度を多段階に切替可能にした払拭体保持具であって、前記保持部の幅方向に沿った中空形状を有した頭部を前記保持部に突設し、
前記保持部の幅方向に移動可能に前記頭部に可動体を装着し、
前記可動体の片側端部に押ボタン部材を設け、
前記頭部の外側に向けて付勢する付勢力が前記可動体に付与可能な付勢手段を前記頭部に設け、
前記片側端部と反対側の前記可動体の端部に抜止部材を設け、
それぞれ中空形状を備え、前記頭部の両端側に配置されて頭部軸芯の回りに回動可能な第１回動片及び第２回動片により構成された回動ロック部材を前記連結端部に設け、
前記傾斜角度を多段階に保持するための第１保持手段及び第２保持手段を設け、
前記第１保持手段は、
前記第１回動片の中空内周に設けられ、傾斜角度に応じた第１ロック係合部と、
前記可動体の前記片側端部側に設けられ、前記第１ロック係合部と係合可能な押ボタン側ロック係合部と、を有し、
前記第２保持手段は、
前記第２回動片の中空内周に設けられ、傾斜角度に応じた第２ロック係合部と、
前記抜止部材の内側に設けられ、前記第２ロック係合部と係合可能な抜止側ロック係合部と、を有し、
前記第１ロック係合部と前記押ボタン側ロック係合部とをロック係合させた位置に応じた位置にて、前記第２ロック係合部と前記抜止側ロック係合部とがロック係合する２重ロック係合によって、該２重ロック係合に応じた傾斜角度を保持し、前記押ボタン部材を外側から押圧力を付加して、前記付勢手段の付勢力に抗して前記可動体を幅方向に移動させて２重ロック係合を解除して前記回動ロック部材が前記頭部軸芯の回りに回動可能な回動可能状態にし、前記回動ロック部材の回動により２重ロック係合位置を変更してから押圧力を除くことによって、前記付勢力を受けて逆方向に前記可動体を移動させて変更位置における２重ロック係合を可能にしたことを特徴とする片側押ボタン型払拭体保持具。
【請求項２】
前記頭部の中空内周に幅方向に沿って形成された摺動案内部を有し、
前記可動体は、中空部を有した筒体形状を備え、筒体外周に前記摺動案内部に係合する摺動用係合部を有し、
前記押圧力の付加により、前記可動体は前記摺動用係合部と前記摺動案内部との係合によって前記幅方向に摺動して前記２重ロック係合を解除可能にした請求項１に記載の片側押ボタン型払拭体保持具。
【請求項３】
前記第１回動片及び前記第２回動片は前記連結端部にて二股状に分岐して配置され、それぞれリング形状を有し、前記第１ロック係合部と前記第２ロック係合部を内歯歯車形状に形成した請求項２に記載の片側押ボタン型払拭体保持具。
【請求項４】
前記押ボタン部材及び前記抜止部材は、夫々、蓋部材と、前記蓋部材より延設された内挿部とをフランジ状に造形した形状を有し、
前記内挿部を前記中空部に挿入した状態で前記内挿部を前記可動体に係着して、前記頭部において前記押ボタン部材及び前記抜止部材により前記可動体を挟持した請求項２又は３に記載の片側押ボタン型払拭体保持具。
【請求項５】
前記第１回動片及び前記第２回動片を前記頭部に外嵌される間隔で設け、両回動片を前記頭部に外嵌した状態で前記内挿部を前記中空部に挿着して、前記回動可能状態において前記蓋部材により各回動片を軸支可能にした請求項４に記載の片側押ボタン型払拭体保持具。
【請求項６】
前記第１回動片の外側に前記蓋部材が嵌入する蓋用凹部を凹設し、前記押ボタン部材を押圧操作し始めてから、前記蓋部材の裏側が前記蓋用凹部の底部に当接するまでの押圧操作ストロークにおいて前記２重ロック係合を解除可能にした請求項４又は５に記載の片側押ボタン型払拭体保持具。
【請求項７】
前記中空部の各開口から内向きに該幅方向に沿って刻設した所定長の条溝と、前記内挿部より外向きに突設した係止部を、内挿部先端側を支点にして前記押ボタン部材及び前記抜止部材の中心軸方向に片持ち状に前記内挿部に支持した係止片と、を備え、前記係止片を前記条溝に沿って撓ませながら前記内挿部を前記中空部の両端側から挿入して、前記係止片の撓み反発力によって前記押ボタン部材及び前記抜止部材を前記可動体に対して挟持状態に結合した請求項４、５又は６のいずれかに記載の片側押ボタン型払拭体保持具。
【請求項８】
前記摺動案内部は前記頭部の中空内周に幅方向に沿ってレール状に突設され、前記摺動用係合部を、前記筒体外周に前記頭部軸芯の方向に沿って前記摺動案内部に摺動自在に嵌合される凹溝形状に凹設した請求項２〜７のいずれかに記載の片側押ボタン型払拭体保持具。
【請求項９】
前記付勢手段は、
前記頭部の外周と内周との間に環状に形成された有底状の環状溝と、
前記環状溝に内装されるスプリングと、
内装された前記スプリングが露出するように前記環状溝の内壁の一部を除去した除去部と、
前記除去部を遊通して内装溝に進入可能に前記可動体に形成されたスプリング当接部と、によって構成され、
前記押圧力の付加によって前記スプリングと前記スプリング当接部が当接して前記スプリングを圧縮し前記可動体を幅方向に移動可能にした請求項１〜８のいずれかに記載の片側押ボタン型払拭体保持具。
【請求項１０】
前記除去部は前記内壁を切欠いた切欠き部で構成され、前記切欠き部の横幅を前記スプリング当接部の幅より広くした請求項９に記載の片側押ボタン型払拭体保持具。
【請求項１１】
複数の除去部を前記内装溝に対して対称状に形成し、各除去部毎に遊通する前記スプリング当接部を設けた請求項９又は１０に記載の片側押ボタン型払拭体保持具。
【請求項１２】
請求項１〜１１のいずれかに記載の片側押ボタン型払拭体保持具を用い、前記保持部に払拭体を装着したことを特徴とする清掃具。
【発明の詳細な説明】
【技術分野】
【０００１】
本発明は、払拭体を保持する保持部と手動操作用のハンドルとを連結する連結部を備えた払拭体保持具に関し、更に詳細には該保持部をハンドルに対し多段に回動傾斜させて使用できる片側押ボタン型払拭体保持具及び該保持具を有した清掃具に関する。
【背景技術】
【０００２】
払拭体を保持する保持部をハンドルに対し多段に回動傾斜できる払拭体保持具に関し、特に本願の構造に関連するものとして特許文献１（実開平０４−２８８５０号公報）が知られている。特許文献１はスポンジとスクレーパを装着した洗浄用ブラシに関するもので、本願の図１８及び図１９に図示され、以下に詳細に説明する。
【０００３】
図１８は、特許文献１に記載された多段回動傾斜機構を有する洗浄用ブラシの分解斜視図であり、ブラシヘッドＡ１０を棒状体Ａ３０に対して多段に回動傾斜して固定する機構を示している。図１８を参照すると、スポンジＡ３を狭着したスポンジ挟み１２３をスポンジ挟み部材装着部Ａ１２に挿し込み、且つスクレーパＡ２をスクレーパ装着部Ａ１１に咬合してブラシヘッドＡ１０が構成される。ブラシヘッドＡ１０の下面には、内歯１３２を有した２個のＵ型連結片１３１が垂下されている。
【０００４】
ハンドルである棒状体Ａ３０の先端の雄ネジ形成部３１１にボス３１５の雌ネジ形成部３１３を螺合し、凹凸形成部３１４を連結部材Ａ２０に押し込み、Ｌ形切欠きＡ２２にピンＰをロックして、棒状体Ａ３０は連結部材Ａ２０に接続される。切欠部Ａ２１が穿設された連結部材Ａ２０の先端には、内歯２３１２を有した２個のブラケットプレート２３１１が突設されてブラケットサポート２３１が構成されている。
【０００５】
ブラシヘッドＡ１０のブラケットＡ１３をブラケットプレート２３１に多段に回動傾斜して固定するために、左右の連動ユニット２３２、２３２と左右のスプリング２３３、２３３と左右の押し部材２３４、２３４と左右の軸桿２３５、２３５が配置され、左右の連結状態は同一であるから、片側の連結構造だけを説明する。
軸孔２３２１の内面にリング状突起２３２２を形成した連動ユニット２３２を、ギヤ２３２３が内歯１３２に噛合するようにＵ型連結片１３１の内側から外向きに挿し込み、更にギヤ２３２３が内歯２３１２にも噛合するようにブラケットプレート２３１１の内側から外向きに挿し込まれる。その結果、ギヤ２３２３は内歯１３２と内歯２３１２と噛み込んで、ブラシヘッドＡ１０は棒状体Ａ３０に対し固定される。
ブラケットプレート２３１１の外面にスプリング２３３の一端を押し当て、スプリング２３３の他端を突き当て部２３４２の環状溝に挿通して押し部材２３４を嵌め込み、更に軸桿２３５を突き当て部２３４２の中を通してギヤ２３２３の軸孔２３２１に挿通し、軸桿２３５のリング状切欠部２３５１がギヤ２３２３の中のリング状突起２３２２と嵌合される。その結果、押し部材２３４はギヤ２３２３を有する連動ユニット２３２と一体化されて抜け止めされる。
【０００６】
図１９は、押し部材２３４を突出させた回動阻止状態と押し部材２３４を押圧した回動可能状態を示した特許文献１の要部断面図である。
同図（ａ）は左右の押し部材２３４、２３４を突出させた回動阻止状態を示している。押し部材２３４はブラケットプレート２３１１からスプリング２３３の付勢により外方に突出しており、軸桿２３５が連動ユニット２３２を外方へ引き出す。従って、連動ユニット２３２のギヤ２３２３はＵ型連結片１３１の内歯１３２と噛合し、且つブラケットプレート２３１１の内歯２３１２にも噛合するため、ブラシヘッドＡ１０は回動が阻止され、
その状態で固定された状態になる。
【０００７】
同図（ｂ）は左右の押し部材２３４、２３４を内方へ押圧した回動可能状態を示している。手指により、押し部材２３４はブラケットプレート２３１１に対しスプリング２３３に抗して内方へ押圧されており、軸桿２３５が連動ユニット２３２を内方へ移動させる。従って、連動ユニット２３２のギヤ２３２３はＵ型連結片１３１の内歯１３２には噛合しているが、ブラケットプレート２３１１の内歯２３１２からは脱離し、ブラシヘッドＡ１０はブラケットプレート２３１１に対し回動可能になり、結果的に棒状体Ａ３０に対し任意の角度で傾斜させることができる。この回動可能状態でブラシヘッドＡ１０を任意の角度まで傾斜させて、手指を左右の押し部材２３４、２３４から離せば、スプリング２３３の付勢力により押し部材２３４、２３４が外方へ突出し、図（ａ）の状態になって上記角度で傾斜固定されることになる。
【０００８】
上記特許文献１の構造は左右の押し部材２３４、２３４の同時押圧機構を有する点で取扱い易い構造である。しかし、押し部材２３４は連動ユニット２３２のギヤ２３２３に対し、リング状切欠２３５１とリング状突起２３２２との嵌合で一体化されて抜け止めされているが、押し部材２３４の回転（自転）は規制されずに自由になっている。即ち、押し部材２３４は回転自由になっているために、押し部材２３４に手指摩擦で回転させてもブラシヘッドＡ１０を回動傾斜させることができず、汚れたブラシヘッドＡ１０を手で持って回動傾斜させることになり、手が汚れると云う欠点がある。更に、軸桿２３５のリング状切欠２３５１はギヤ２３２３のリング状突起２３２２と凹凸で嵌合するといっても、軸桿２３５のリング状切欠２３５１はリング状突起２３２２に変形すること無く無理嵌合するだけであるから、その結合力は極めて弱い。従って、軸桿２３５を無理に引き抜けばリング状切欠２３５１はリング状突起２３２２から比較的簡単に抜け、抜け止め構造が簡単に破れるという欠点を有している。
【０００９】
多段回動傾斜構造を備えた払拭体保持具に関して、特許文献２（特開２００１−２１８７１９号公報）及び特許文献３（特許第４３４７４６５号公報）が知られている。特許文献２に係る多段回動傾斜構造を特許文献２の部材符号で説明すると、柄（ハンドル）１の先端に２個の腕部（軸受突部）１３、１４を間隙部を介して対向配置し、ヘッド（把持部）６の後端に同方向に延びるボス１２を突設し、ボス１２を２個の腕部１３、１４の間隙部に挿し込んでボス１２を狭着する。次に、腕部１３の孔からボス１２の軸孔まで第１ストッパー１５を挿入し、コイルばね１０を介して第２ストッパー１６を他方の腕部１４の孔からボス１２の孔まで挿入し、第１ストッパー１５と第２ストッパー１６を相互に軸孔の中で係合して全体を一体に回動自在に連結する。ボス１２の軸孔には周方向に等間隔に位置決め凹部４２が形成され、第２ストッパー１６には位置決め係合部２８が周方向に突設され、位置決め係合部２８が位置決め凹部４２に係合すると、ヘッド６は回動不能になる。コイルばね１０に抗して第２ストッパー１６を押圧すると、位置決め係合部２８は位置決め凹部４２から離脱してヘッド６は回動可能になる。そこで、ヘッド６を回動してゆくと、コイルばね１０の付勢力で隣の位置決め凹部４２に位置決め係合部２８が係合して、ヘッド６は傾斜した状態でロックされる。このようにして、ヘッド６を回動して多段の傾斜位置でロックすることができる。
【００１０】
特許文献３に開示された角度調節式清掃具は、一部特許文献２と同様の構造を有しているので、特許文献２の用語を括弧内に示しながら特許文献３の部材符号で説明すると、把手部材（ハンドル）４の先端に間隙部を介して第１連結部（腕部）１０ａと第２連結部（腕部）１０ｂを対向形成し、払掃材（把持部、ヘッド）２の後端に前記間隙部に挿し込まれる連結部（ボス）１１を設け、連結部１１の内周には周方向に多数の凹部（位置決め凹部）２２を形成する。第１連結部１０ａに周方向に突条（位置決め係合部）１５を形成した第１部材（第１ストッパー）１３ａを挿入し、第２連結部１０ｂに圧縮ばね３３を介し
て第２部材（第２ストッパー）１３ｂを挿入して両者を軸孔１２の中で一体に係合する。
【００１１】
第２部材１３ｂの操作頭部３１を押圧して圧縮バネ３３を圧縮させながら第１部材１３ａを外方に突出させ、突条１５を凹部２２から離脱させて払掃材２は回動自由になる。払掃材２を少し回動させると、隣の凹部２２に突条１５が圧縮ばね３３の復元力で係合し、払掃材２を傾斜状態で固定できる。手指で操作頭部３１を押圧し続けると、払掃材２を多段の傾斜角度で傾斜ロックすることが可能になる。
【００１２】
特許文献２と特許文献３のいずれにあっても、一対の第１ストッパー及び第２ストッパーにより連結した回動軸部を構成してヘッドを多段回動して傾斜ロックするロック構造を有するものの、片方のストッパーは傾斜ロックに関与しない不均衡なロック構造となっており、残りの片側のストッパーだけで傾斜ロックするため、十分なロック保持力が得られないといった欠点があった。
【００１３】
多段回動傾斜構造を備えた払拭体保持具に関する別の特許文献として、特許文献４（特許第４１１３７４０号公報）、特許文献５（特許第４０４１７０６号公報）及び特許文献６（特許第５０５２２４９号公報）がある。
【００１４】
特許文献４の場合、特許文献４の部材符号で説明すると、保持柄（ハンドル）２の先端に２個の支持体３３、３３を支持空間３４を介して対向させ、保持柄２の適当位置に操作孔４３が開口される。支持体（把持部、ヘッド）４の後端に回動連結部５を突設し、回動部３１の半分の周面には凹部３８ａ〜３８ｄが形成され、残りの半分の周面は小径の円筒となっている。保持柄２の先端側内部には、前記操作孔４３に突没する押圧釦７０が配置され、ロッド状の係合部６１を突設したロック部材６０が圧縮コイルスプリング６４を介して内設されている。
【００１５】
回動連結部５は支持空間３４に配置されて、２個の支持体３３、３３に狭着される。通常、圧縮コイルスプリング６４の付勢力によりロック部材６０は押圧され、押圧釦７０は操作孔４３から突出し、ロッド状の係合部６１は回動部３１の凹部３８ａ〜３８ｄのいずれかに係合して、支持体４は回動不能になっている。押圧釦７１を押下すると、圧縮コイルスプリング６４に抗してロック部材６０は横移動し、係合部６１は凹部から離脱し、支持体４は回動可能になる。押圧釦７１から手指を離しながら支持体４を回動させると、圧縮コイルスプリング６４の復元力により係合部６１が隣の凹部に自然に係合し、その位置で支持体４は傾斜状態でロックされる。このようにして、支持体４を適当な傾斜角度で多段に回動ロックすることができる。
【００１６】
特許文献５には、特許文献４と共通する符号部材として、保持柄２、支持体（把持部）４、凹部３８ａ〜３８ｄ、支持体３３、支持空間３４、回動連結部５、回動部３１、傾斜した押圧部７１ｂ、７２ｂを有する押圧釦７０、操作孔４３が存在し、それらの機能は特許文献４と同一である。特許文献５に固有の符号部材として、保持柄２の中に、同軸方向に案内軸５４と摺動本体５１とロッド状のロック部５３が一体形成されて配置され、摺動本体５１には摺動傾斜面５１ｅ、５１ｆが形成され、案内軸５４には圧縮コイルスプリング５５が外装されている。
【００１７】
押圧釦７０が操作孔４３から突出しているとき、圧縮コイルスプリング５５の付勢力によりロック部５３は凹部３８ａ〜３８ｄのいずれかに係合して回動部３１は回動不能になり、支持体４は回動不能に固定されている。押圧釦７０を押下して操作孔４３に没入させると、押圧釦７０に形成された傾斜状の押圧部７１ｂ、７２ｂが摺動傾斜面５１ｅ、５１ｆに摺動し、押圧分力によりロック部材５０と案内軸５４が圧縮コイルスプリング５５を圧縮してロック部５３が凹部３８ａ〜３８ｄから離脱し、回動部３１及び支持体４は回動
可能に設定される。押圧釦７０から手指を離して支持体４を回動させると、隣の凹部にロック部５３が圧縮コイルスプリング５５の復元力で押し込まれ、支持体４は傾斜状態で回動不能にロックされる。このようにして、支持体４を適当な傾斜角度で多段に回動ロックすることができる。
【００１８】
特許文献６には、さらに別の多段回動傾斜構造が開示されている。特許文献６の部材符号で説明すると、手指で握る柄（ハンドル）１０の先端に周方向に複数の凹面３６を形成した取付部３１が突設されている。払拭体を装着する本体（把持部、ヘッド）２０の先端に二股状の取付部３２、３２を突設し、その近傍のガイド孔（操作孔）６０には、中央に矩形孔を開口して上部が操作部５１になり下部がロック部５２になるロックピース５０がばね６１を介して内装されている。本体２０の内部には、軸装されたバネ４２と、凸部４１Ｆとくびれ部４１Ｃとストッパー面４１Ｄを有して前端に凸面４１Ａを形成した係合部材４１が配置され、凸部４１Ｆはバネ４２に内挿され、くびれ部４１Ｃは前記矩形孔を貫通し、凸面４１Ａは前記凹面３６に突合されている。
【００１９】
操作部５１がばね６１の付勢力でガイド孔６０から突出しているとき、ロック部５２がストッパー面４１Ｄに当接して係合部材４１が後退不能になって凸面４１Ａが凹面３６に突合し、本体２０は柄１０に対し回動不能に固定される。操作部５１を押圧してロックピース５０をバネ６１に抗して押下すると、ロック部５２はストッパー面４１Ｄから抜脱し、係合部材４１は後退可能になる。凸面４１Ａはばね４２の付勢力だけで凹面３６に当接しているから、本体２０を回動すると、凸面４１Ａは凹面３６に当接しながら隣の凹面３６に乗り移り、その状態で操作部５１から手指を離すとロックピース５０の全体がばね６１の復元力で上動し、操作部５１はガイド孔６０から突出し、ロック部５２はストッパー面４１Ｄに当接して、本体２０は傾斜状態で回動不能にロックされる。このようにして多段の傾斜ロックが可能になる。
【先行技術文献】
【特許文献】
【００２０】
【特許文献１】実開平０４−２８８５０号公報
【特許文献２】特開２００１−２１８７１９号公報
【特許文献３】特許第４３４７４６５号公報
【特許文献４】特許第４１１３７４０号公報
【特許文献５】特許第４０４１７０６号公報
【特許文献６】特許第５０５２２４９号公報
【発明の概要】
【発明が解決しようとする課題】
【００２１】
特許文献１の構造では、前述したように、押し部材２３４は回転自由になっているために、押し部材２３４、２３４を手指で押して摩擦で押し部材を回転させてもブラシヘッドＡ１０を回動傾斜させることができないから、汚れたブラシヘッドＡ１０を手で持って回動傾斜させることになり、手指が汚れると云う欠点がある。更に、軸桿２３５を引き抜けばリング状切欠２３５１はリング状突起２３２２から簡単に抜け、抜け止め構造が容易に破れるという欠点を有している。
【００２２】
特許文献２、３の構造では、前述したように、第１ストッパー側だけで傾斜ロックするため、十分なロック保持力が得られないといった欠点があった。
【００２３】
特許文献４〜６の場合、回動軸部から離れたハンドル部位に突没可能な１個の押ボタンを配置して、押ボタンの突出状態では回動不能になり、押ボタンの没入状態で回動可能にする構造が採用されている。
【００２４】
しかし、ハンドルの内部にロッド状の可動構造体を内蔵して押ボタンの突没により可動構造体を係脱させる複雑構造を有しているから、可動構造体と押ボタンは小さな構造体にならざるを得ない。従って、払拭紙を用いた紙モップのような軽量の保持具には使用できるが、糸製のパイルモップのような重量の保持具には適さない。また、ロッド状の可動構造体を1個の凹部に押し込んでロックする構造であり、払拭体がパイルのような繊維重量物であるときにはロッドに大きな集中応力が作用し、多数回の使用により凹部が破断する危険性がある。
【００２５】
本発明は、上記課題に鑑み、片側押ボタン操作によりハンドル傾斜角度を多段に切替可能であり、各傾斜角度の保持を強固に行うことのできる片側押ボタン型払拭体保持具及び清掃具を提供することを目的とする。
【課題を解決するための手段】
【００２６】
本発明は、上記課題を解決するために提案されたものであって、本発明に係る第１の形態は、払拭体を装着して保持する保持部と、前記保持部と連結する連結端部を有した連結部と、を備え、前記連結部の後方側にハンドルを取着可能にし、前記保持部に対する前記連結部の傾斜角度を多段階に切替可能にした払拭体保持具であって、前記保持部の幅方向に沿った中空形状を有した頭部を前記保持部に突設し、前記保持部の幅方向に移動可能に前記頭部に可動体を装着し、前記可動体の片側端部に押ボタン部材を設け、前記頭部の外側に向けて付勢する付勢力が前記可動体に付与可能な付勢手段を前記頭部に設け、前記片側端部と反対側の前記可動体の端部に抜止部材を設け、それぞれ中空形状を備え、前記頭部の両端側に配置されて頭部軸芯の回りに回動可能な第１回動片及び第２回動片により構成された回動ロック部材を前記連結端部に設け、前記傾斜角度を多段階に保持するための第１保持手段及び第２保持手段を設け、前記第１保持手段は、前記第１回動片の中空内周に設けられ、傾斜角度に応じた第１ロック係合部と、前記可動体の前記片側端部側に設けられ、前記第１ロック係合部と係合可能な押ボタン側ロック係合部と、を有し、前記第２保持手段は、前記第２回動片の中空内周に設けられ、傾斜角度に応じた第２ロック係合部と、前記抜止部材の内側に設けられ、前記第２ロック係合部と係合可能な抜止側ロック係合部と、を有し、前記第１ロック係合部と前記押ボタン側ロック係合部とをロック係合させた位置に応じた位置にて、前記第２ロック係合部と前記抜止側ロック係合部とがロック係合する２重ロック係合によって、該２重ロック係合に応じた傾斜角度を保持し、前記押ボタン部材を外側から押圧力を付加して、前記付勢手段の付勢力に抗して前記可動体を幅方向に移動させて２重ロック係合を解除して前記回動ロック部材が前記頭部軸芯の回りに回動可能な回動可能状態にし、前記回動ロック部材の回動により２重ロック係合位置を変更してから押圧力を除くことによって、前記付勢力を受けて逆方向に前記可動体を移動させて変更位置における２重ロック係合を可能にしたことを特徴とする片側押ボタン型払拭体保持具である。
【００２７】
本発明に係る第２の形態は、前記頭部の中空内周に幅方向に沿って形成された摺動案内部を有し、前記可動体は、中空部を有した筒体形状を備え、筒体外周に前記摺動案内部に係合する摺動用係合部を有し、前記押圧力の付加により、前記可動体は前記摺動用係合部と前記摺動案内部との係合によって前記幅方向に摺動して前記２重ロック係合を解除可能にした片側押ボタン型払拭体保持具である。
【００２８】
本発明に係る第３の形態は、前記第１回動片及び前記第２回動片は前記連結端部にて二股状に分岐して配置され、それぞれリング形状を有し、前記第１ロック係合部と前記第２ロック係合部を内歯歯車形状に形成した片側押ボタン型払拭体保持具である。
【００２９】
本発明に係る第４の形態は、前記押ボタン部材及び前記抜止部材は、夫々、蓋部材と、
前記蓋部材より延設された内挿部とをフランジ状に造形した形状を有し、前記内挿部を前記中空部に挿入した状態で前記内挿部を前記可動体に係着して、前記頭部において前記押ボタン部材及び前記抜止部材により前記可動体を挟持した片側押ボタン型払拭体保持具である。
【００３０】
本発明に係る第５の形態は、前記第１回動片及び前記第２回動片を前記頭部に外嵌される間隔で設け、両回動片を前記頭部に外嵌した状態で前記内挿部を前記中空部に挿着して、前記回動可能状態において前記蓋部材により各回動片を軸支可能にした片側押ボタン型払拭体保持具である。
【００３１】
本発明に係る第６の形態は、前記第１回動片の外側に前記蓋部材が嵌入する蓋用凹部を凹設し、前記押ボタン部材を押圧操作し始めてから、前記蓋部材の裏側が前記蓋用凹部の底部に当接するまでの押圧操作ストロークにおいて前記２重ロック係合を解除可能にした片側押ボタン型払拭体保持具である。
【００３２】
本発明の第７の形態は、前記中空部の各開口から内向きに該幅方向に沿って刻設した所定長の条溝と、前記内挿部より外向きに突設した係止部を、内挿部先端側を支点にして前記押ボタン部材及び前記抜止部材の中心軸方向に片持ち状に前記内挿部に支持した係止片と、を備え、前記係止片を前記条溝に沿って撓ませながら前記内挿部を前記中空部の両端側から挿入して、前記係止片の撓み反発力によって前記押ボタン部材及び前記抜止部材を前記可動体に対して挟持状態に結合した片側押ボタン型払拭体保持具である。
【００３３】
本発明に係る第８の形態は、前記摺動案内部は前記頭部の中空内周に幅方向に沿ってレール状に突設され、前記摺動用係合部を、前記筒体外周に前記軸芯の方向に沿って前記摺動案内部に摺動自在に嵌合される凹溝形状に凹設した片側押ボタン型払拭体保持具である。
【００３４】
本発明に係る第９の形態は、前記付勢手段は、前記頭部の外周と内周との間に環状に形成された有底状の環状溝と、前記環状溝に内装されるスプリングと、内装された前記スプリングが露出するように前記環状溝の内壁の一部を除去した除去部と、前記除去部を遊通して前記内装溝に進入可能に前記可動体に形成されたスプリング当接部と、によって構成され、前記押圧力の付加によって前記スプリングと前記スプリング当接部が当接して前記スプリングを圧縮し前記可動体を幅方向に移動可能にした片側押ボタン型払拭体保持具である。
【００３５】
本発明に係る第１０の形態は、前記除去部は前記内壁を切欠いた切欠き部で構成され、前記切欠き部の横幅を前記スプリング当接部の幅より広くした片側押ボタン型払拭体保持具である。
【００３６】
本発明に係る第１１の形態は、複数の除去部を前記内装溝に対して対称状に形成し、各除去部毎に遊通する前記スプリング当接部を設けた片側押ボタン型払拭体保持具である。
【００３７】
本発明に係る第１２の形態は、第１〜第１１のいずれかの形態に係る片側押ボタン型払拭体保持具を用い、前記保持部に払拭体を装着したことを特徴とする清掃具である。
【発明の効果】
【００３８】
本発明に係る第１の形態によれば、前記第１保持手段及び前記第２保持手段によって、前記第１ロック係合部と前記押ボタン側ロック係合部とをロック係合させた位置に応じた位置にて、前記第２ロック係合部と前記抜止側ロック係合部とがロック係合する２重ロック係合によって、該２重ロック係合に応じた傾斜角度を保持すると共に、前記押ボタン部
材を外側から押圧力を付加して、前記付勢手段の付勢力に抗して前記可動体を幅方向に移動させて２重ロック係合を解除して前記回動ロック部材が前記頭部軸芯の回りに回動可能な回動可能状態にし、前記回動ロック部材の回動により２重ロック係合位置を変更してから押圧力を除くことによって、前記付勢力を受けて逆方向に前記可動体を移動させて変更位置における２重ロック係合を可能にすることができる。
【００３９】
従って、本形態に係る保持具は、傾斜角度の保持の際には、前記第１ロック係合部と前記押ボタン側ロック係合部による押しボタン側でのロック係合に加え、抜止側にて前記第２ロック係合部と前記抜止側ロック係合部とによってもロック係合する２重ロック係合を行うので、前記保持部を前記ハンドルに対して所定傾斜角度に強固にロックし得るロック保持機能を有する。また、ロック係合の解除の際には前記可動体が幅方向に移動することによって前記２重ロック係合の各係合が同時的に解除可能になって傾斜角度切替操作を円滑に行うことができる。特に、前記保持部と前記ハンドルを相対的に回動させるときには、例えば、保持部側を床面等に添えて前記押ボタン部材を手指で片押し操作すると前記ハンドルが前記保持部に対して回動自在になるロック解除機能を発揮するので、片押しボタン操作によって傾斜角度の切替操作を簡易に行うことができる。
【００４０】
本発明に係る第２の形態によれば、前記頭部の中空内周に幅方向に沿って形成された摺動案内部を有し、前記可動体は、中空部を有した筒体形状を備え、筒体外周に前記摺動案内部に係合する摺動用係合部を有し、前記押圧力の付加により、前記可動体は前記摺動用係合部と前記摺動案内部との係合によって前記幅方向に摺動して前記２重ロック係合を解除可能にしたので、前記可動体の前記幅方向への摺動を自在にする移動機構と、第１及び第２のロック係合部による２重ロック係合機構とを一体的にした強固な傾斜角度切替構造を前記保持部にコンパクトに実装することができる。
【００４１】
本発明に係る第３の形態によれば、前記第１回動片及び前記第２回動片は前記連結端部にて二股状に分岐して配置され、それぞれリング形状を有し、前記前記第１ロック係合部と前記第２ロック係合部を内歯歯車形状に形成したので、例えば、水平状態から１８０°回動した位置の範囲内で多段に切替可能な片側押ボタン型払拭体保持具を実現することができる。
【００４２】
本発明に係る第４の形態によれば、前記押ボタン部材及び前記抜止部材は、夫々、蓋部材と、前記蓋部材より延設された内挿部とをフランジ状に造形した形状を有し、前記内挿部を前記中空部に挿入した状態で前記内挿部を前記可動体に係着して、前記頭部において前記押ボタン部材及び前記抜止部材により前記可動体を挟持したので、一組の前記押ボタン部材及び前記抜止部材を前記可動体と一体的に結合して挟持する挟持構造によってより強固な傾斜角度切替構造を備えた片側押ボタン型払拭体保持具を実現することができる。しかも、本形態に係る保持具は、該結合による挟持構造を有するので、これらの部材の抜け止めを確実堅固にして耐久性を向上させることができる。
【００４３】
本発明に係る第５の形態によれば、前記第１回動片及び前記第２回動片を前記頭部に外嵌される間隔で設け、両回動片を前記頭部に外嵌した状態で前記内挿部を前記中空部に挿着して、前記回動可能状態において前記蓋部材により各回動片を軸支可能にしたので、傾斜角度切替の際に前記回動ロック部材を円滑に回動可能にし得る強固な傾斜角度切替構造を備えた片側押ボタン型払拭体保持具を実現することができる。
【００４４】
本発明に係る第６の形態によれば、前記第１回動片の外側に前記蓋部材が嵌入する蓋用凹部を凹設し、前記押ボタン部材を押圧操作し始めてから、前記蓋部材の裏側が前記蓋用凹部の底部に当接するまでの押圧操作ストロークにおいて前記２重ロック係合を解除可能にしたので、前記蓋用凹部内部における比較的短い押圧操作ストロークで押ボタン操作を
行うだけで傾斜角度の切替操作を簡易に行える操作性に優れた片側押ボタン型払拭体保持具を実現することができる。
【００４５】
本発明に係る第７の形態によれば、前記中空部の各開口から内向きに該幅方向に沿って刻設した所定長の条溝と、前記内挿部より外向きに突設した係止部を、内挿部先端側を支点にして前記押ボタン部材及び前記抜止部材の中心軸方向に片持ち状に前記内挿部に支持した係止片と、を備え、前記係止片を前記条溝に沿って撓ませながら前記内挿部を前記中空部の両端側から挿入して、前記係止片の撓み反発力によって前記押ボタン部材及び前記抜止部材を前記可動体に対して挟持状態に結合したので、該結合による前記可動体の挟着構造が簡易に組立可能となると共に、確実堅固な押ボタン部材抜け止め構造と堅固なロック保持構造とを有した片側押ボタン型払拭体保持具を実現することができる。
【００４６】
本発明に係る第８の形態によれば、前記摺動案内部は前記頭部の中空内周に幅方向に沿ってレール状に突設され、前記摺動用係合部を、前記筒体外周に前記軸芯の方向に沿って前記摺動案内部に摺動自在に嵌合される凹溝形状に凹設したので、レール状の前記摺動案内部に凹溝形状の前記摺動案内部を嵌合させることによって前記可動体の移動を幅方向に沿った摺動に確実に規制することができ、前記押ボタン部材の突没動作を円滑化した片側押ボタン型払拭体保持具を実現することができる。
【００４７】
本発明においては、前記付勢手段の付勢力発生源として１又は２以上のスプリング部材を使用することができる。特に、本発明に係る第９の形態によれば、前記付勢手段は、前記頭部の外周と内周との間に環状に形成された有底状の環状溝と、前記環状溝に内装されるスプリングと、内装された前記スプリングが露出するように前記環状溝の内壁の一部を除去した除去部と、前記除去部を遊通して前記内装溝に進入可能に前記可動体に形成されたスプリング当接部と、によって構成され、前記押圧力の付加によって前記スプリングと前記スプリング当接部が当接して前記スプリングを圧縮し前記可動体を幅方向に移動可能にしたので、前記可動体にバネ付勢力を与えるスプリングを前記頭部に形成した前記環状溝に内装して付勢力伝達機構をコンパクトに構成して、ハンドルの脆弱化を誘引する穿設加工を施すことなく、しかも組立部品点数を増やすことなく単一のスプリングを用いて前記保持部側に強固に設けた傾斜角度切替機能部を有することができる。
【００４８】
本発明に係る第１０の形態によれば、前記除去部は前記内壁を切欠いた切欠き部で構成され、前記切欠き部の横幅を前記スプリング当接部の幅より広くしたので、前記スプリング当接部を介して外部からの押圧力の前記スプリングへの付加と、前記スプリングから前記スプリング当接部へのスプリング力の伝達を確実に行って前記操作側押ボタン部材の突没動作を円滑化した片側押ボタン型払拭体保持具を実現することができる。
【００４９】
本発明に係る第１１の形態によれば、複数の除去部を前記内装溝に対して対称状に形成し、各除去部毎に遊通する前記スプリング当接部を設けたので、前記環状溝に内装した前記スプリングの端部の複数箇所において前記スプリング当接部が均一に又は略均一に当接させることができ、外部押圧力の前記スプリングへの付加と、前記スプリングからの前記スプリング当接部へのスプリング付勢力の伝達を確実に行え、前記押ボタン部材の突没動作を円滑化した片側押ボタン型払拭体保持具を実現することができる。
【００５０】
本発明に係る第１２の形態によれば、第１〜第１１のいずれかの形態に係る片側押ボタン型払拭体保持具を用い、前記保持部に払拭体を装着して、第１〜第１１の形態の夫々の利点を備えた清掃具を提供することができる。
【００５１】
払拭体としては、パイル状モップや不織紙やスポンジ体など各種の清掃用払拭体が利用でき、払拭体を装着した把持部を適当な角度に傾斜させることにより、電灯や棚やタンス
等の上側の見え難い部分の清掃を簡単に行える清掃具を提供することができる。
【図面の簡単な説明】
【００５２】
【図１】図１は、本発明の一実施形態である清掃具の全体斜視図である。
【図２】図２は、図１の清掃具に使用される片側押ボタン型払拭体保持具Ａの分解斜視図である。
【図３】図３は払拭体保持具Ａに用いる保持部１の外観斜視図である。
【図４】図４は保持部１の部分側面図である。
【図５】図５は図４と反対側の部分側面図である。
【図６】図６は保持部１の頭部３を水平状に切り欠いた頭部切断面を示す斜視図である。
【図７】図７は、払拭体保持具Ａに用いる可動体１０の外観斜視図である。
【図８】図８は可動体１０の正面図である。
【図９】図９は可動体１０の側面図である。
【図１０】図１０は、払拭体保持具Ａに用いる押ボタン部材１６の外観斜視図である。
【図１１】図１１は押ボタン部材１６の正面図である。
【図１２】図１２は抜止部材１７の外観斜視図である。
【図１３】図１３は抜止部材１７の正面図である。
【図１４】図１４は、払拭体保持具Ａに用いる連結部２の回動ロック部材を示す外観斜視図である。
【図１５】図１５は、該回動ロック部材の正面図である。
【図１６】図１６は、清掃具のハンドルを伏倒状態にしたときの頭部３付近の水平断面を示す部分切欠斜視図である。
【図１７】図１７は、払拭体保持具Ａに用いるスプリング６とスプリング当接部１３との当接状態を示す部分切欠き断面図である。
【図１８】図１８は、実開平０４−２８８５０号公報（特許文献１）に記載された多段回動傾斜機構を有する洗浄用ブラシの分解斜視図である。
【図１９】図１９は、押し部材２３４を突出させた回動阻止状態と押し部材２３４を押圧した回動可能状態を示した特許文献１の要部断面図である。
【発明を実施するための形態】
【００５３】
以下に、本発明に係る片側押ボタン型払拭体保持具及び清掃具の実施形態を添付する図面に従って詳細に説明する。
【００５４】
図１は本実施形態に係る清掃具の全体を示し、図２は図１の清掃具に使用される片側押ボタン型払拭体保持具Ａの分解斜視図である。
【００５５】
本実施形態に係る清掃具は、片側押ボタン型払拭体保持具Ａと、ハンドルＨと、ハンドル先端部に取り付けたグリップ部Ｇとを有し、払拭体保持具Ａに払拭体Ｍを装着した清掃具である。払拭体保持具Ａは、払拭体Ｍを着脱自在に装着して保持する保持部１と、保持部１を前方側に多段に回動傾斜させて連結固定する連結部２とを有する。ハンドルＨは連結部２の後方側に連結される連結管部Ｈ１を有する。本実施形態において掃除具組立部材には、ＰＣやＰＯＭ等の樹脂成型材を使用することができる。
【００５６】
ハンドルＨには全長が例えば、約１ｍの長尺ハンドルや全長が例えば、５０ｃｍ前後の短尺状ハンドル、あるいは連結管部を伸縮自在にした長さ調整自在型ハンドルを使用することができる。更に、本発明は短い連結管部を屈曲させてグリップ部を取り付けたハンディ型掃除具にも適用することができる。
【００５７】
連結部２は後方側にて連結管部Ｈ１の樹脂管が挿着される連結端部４９と、連結端部４９の前方側に設けた回動ロック部材とを有する。該回動ロック部材は、一対の回動片２８、２９により構成されている。各回動片は中空のリング形状を有し、連結端部４９の先端側にて二股形状に設けられている。回動片２８、２９は夫々、本発明における第１、第２の回動片に対応する。
【００５８】
図３は保持部１の全体を示し、図４は保持部１の側面、図５は図４の裏側の側面を示す。図６は保持部１の頭部３を水平状に切り欠いた頭部切断面を示す。
【００５９】
保持部１は細長舌片形状の長手状本体１Ａを有し、薄肉の先端側から傾斜状に肉厚になる板片で構成されている。長手状本体１Ａの肉厚後部には連結部２と連結される頭部３が一体成型されている。頭部３は台座部１Ｂを介して長手状本体１Ａに突設されている。
【００６０】
本実施形態の掃除具は、頭部３を介して連結部２及びハンドルＨが長手状本体１Ａの長手方向に向けて連結された「こて」様の形体を有する。本発明は該形体の掃除具に限らず、ハンドル軸方向に対して略Ｔ字形ないし略Ｌ字形に保持部本体を向けた掃除具にも適用することができる。
【００６１】
払拭体Ｍは、上部の一部を開口した長手状の袋部を有した基布と、該基布の表側に多数のパイルが植設されたパイルモップにより構成されている。払拭体Ｍの開口より長手状本体１Ａを挿入して保持部１全体を覆うように払拭体Ｍは保持部１に被着される。パイル材にはナイロン等の合成繊維や、例えば、木綿等の天然繊維、レーヨン等の再生繊維を使用することができる。本発明においては、パイルモップの他に、払拭体をスポンジ体、ブラシ体、払拭布、払拭紙等により保持部１に装着可能に構成することができる。本実施形態のように保持部１に対し脱着自在にした払拭体に限らず、本発明においては保持部１に固着される払拭体を使用することができる。
【００６２】
頭部３は保持部１の幅方向に沿った軸芯を有する貫通孔部４を形成した筒形状を有する。該軸芯は長手状本体１Ａの長手方向の中心線と直交している。貫通孔部４の内周には該幅方向（軸芯方向）に沿って、３本の摺動案内部９ａ、９ｂ、９ｃ（以下、これらを総称して摺動案内部９という。）が突設されている。摺動案内部９ａ、９ｃの中間に位置する摺動案内部９ｂは貫通孔部４の内周底部に設けられている。摺動案内部９は図４等に示すように、貫通孔部４を正面視したときに摺動案内部９ｂが下側の頂点に位置して、夫々の端部が逆三角形状をなす位置に対称配置されている。
【００６３】
貫通孔部４の内周より内側には頭部３の外周との間に内装溝７が全周にわたって形成されている。内装溝７は裏側に貫通せず、スプリング６を内装し得る溝深さを有する。図５に示すように正面視と反対の裏側から見ると、頭部３の裏側の端面には３本の摺動案内部９ａ、９ｂ、９ｃが逆三角形配置に対称配置されている。貫通孔部４内部には、摺動案内部９に案内され可動体１０が軸芯方向に摺動自在になるように装着されている。
【００６４】
内装溝７の内壁で摺動案内部９ａ、９ｂ、９ｃ間には、貫通孔部４の一開放端より該内壁の一部を矩形に切り欠いて除去した切欠き部で形成した除去部８が設けられている。該切欠き部の横幅はスプリング当接部１３の幅より広く、スプリング当接部１３が遊挿可能になっている。３つの除去部８は摺動案内部９の逆三角形配置と逆向きの三角形状をなす位置に対称配置されている。該内壁を切り欠いた除去部８の円弧状幅は２つの摺動案内部間の円弧距離の約半分である。除去部８の軸芯方向の奥行きは内装溝７の溝深さの約４／５の長さになっている。
【００６５】
図７は可動体１０の外観斜視図であり、図８、図９は可動体１０の正面、側面を示す。
【００６６】
可動体１０は貫通孔部４より小さく、貫通孔部４内に収容可能な大きさで、中空部１１を有した筒体形状に構成されている。筒体外周には中空部１１の中心軸方向に３つの摺動用係合部１２が刻設されている。３つの摺動用係合部１２は夫々、摺動案内部９ａ、９ｂ、９ｃが嵌入可能な筒体外周の位置に、図７の正面視に示すように、逆三角形状に配設されている。３つの摺動用係合部１２を摺動案内部９に嵌合させることによって可動体１０は貫通孔部４内に軸芯方向に摺動自在に装着可能になっている。
【００６７】
中空部１１の一端側には、内装溝７に臨むように該筒体外周より鍔状に延設された３つのスプリング当接部１３ａ、１３ｂ、１３ｃ（以下、これらを総称してスプリング当接部１３という。）が設けられている。図８に示すように、スプリング当接部１３は３つの除去部８に遊挿し得る幅を有し、夫々の中心が円周を３分割するように配設されている。即ち、可動体１０の外周は貫通孔部４の内側外周４７より内側に位置すると共に、スプリング当接部１３の各最外周端は内装溝７の外側外周４８より内側で内装溝７内に位置して、スプリング当接部１３の夫々は裏側にて内装溝７に内装されたスプリング６の端部に当接可能になっている。
【００６８】
スプリング当接部１３の表側にはリング状の突出部１３ｄの外周より歯車の歯のように突設された押ボタン側ロック係合部１４ａ、１４ｂ、１４ｃ（以下、これらを総称して押ボタン側ロック係合部１４という。）が設けられている。押ボタン側ロック係合部１４ａ、１４ｃは図８に示すように可動体１０の中心線Ｃ２上に位置し、押ボタン側ロック係合部１４ｂは中心線Ｃ１上に位置する。即ち、押ボタン側ロック係合部１４ｂの中心は押ボタン側ロック係合部１４ａ、１４ｃの各中心と９０°の角度をなしている。
【００６９】
可動体１０を貫通孔部４内に装着した装着状態において、スプリング当接部１３ａ、１３ｃの間のスプリング当接部１３ｂは上側に位置し、その位置でのスプリング当接部１３ｂの鉛直方向の中心線Ｃ１に対しスプリング当接部１３ａ、１３ｃは対称位置に位置する。
【００７０】
中空部１１内部には、中空部両端の各開口から内向きに軸芯方向に沿って所定長の条溝１５が２本ずつ刻設されている。表側の一対の条溝１５は中空部１１の表側開口より内向きに中心線Ｃ１上の上下位置に設けられている。裏側の一対の条溝１５は中空部１１の裏側開口より内向きに中心線Ｃ１と直交する水平線Ｃ２上の左右位置に設けられている。
【００７１】
中空部１１の各開口より一対の押ボタン部材が挿着可能になっている。一対の押ボタン部材は押ボタン部材１６と抜止部材１７とによって構成されている。
【００７２】
図１０は押ボタン部材１６の外観斜視図である。図１１は押ボタン部材１６の正面図である。
【００７３】
押ボタン部材１６は、円形の蓋部材１８と、蓋部材１８の裏側の略円筒形状の蓋側根元部５０より延設された内挿部２０、２１を有し、蓋部材１８に対して内挿部２０、２１は蓋側根元部５０を介してフランジ状に造形されている。内挿部２０、２１は夫々、部材中心側に向いた開放部分５１を備えた略Ｃ字形断面形状を有し、互いの開放部分５１が対応している。内挿部２０、２１は蓋側根元部５０の縦中心軸上に並ぶように配設されている。蓋部材１８の蓋面は手指等により押操作するための操作面に使用される。
【００７４】
図１２は抜止部材１７の外観斜視図である。図１３は抜止部材１７の正面図である。
【００７５】
抜止部材１７は、円形の蓋部材１９と、蓋部材１９の裏側の略円筒形状の蓋側根元部５
２より延設された内挿部２２、２３を有し、蓋部材１９に対して内挿部２２、２３は蓋側根元部５２を介してフランジ状に造形されている。内挿部２２、２３は夫々、部材中心側に向いた開放部分５３を備えた略Ｃ字形断面形状を有し、互いの開放部分５３が対応している。内挿部２２、２３は蓋側根元部５３の縦中心軸上に並ぶように配設されている。
【００７６】
各押ボタン部材には可動体１０と係着させるための係着手段が設けられている。該係着手段は裏表側に設けた条溝１５に嵌着されて押ボタン部材を圧着させる係止片２４、２６により構成されている。表側の一対の条溝１５に対して裏側の一対の条溝１５は９０°回転したクロス位置関係に設けられている。押ボタン部材１６の内挿部２０、２１の夫々には、外側に突出した係止部２５を備え、先端側を支点にして押ボタン部材１６の中心軸方向に片持ち状に支持した係止片２４が一体的に形成されている。抜止部材１７の内挿部２２、２３の夫々には、外側に突出した係止部２７を備え、先端側を支点にして抜止部材１７の中心軸方向に片持ち状に支持した係止片２６が一体的に形成されている。上記クロス位置関係により抜止部材１７は可動体１０に対して非押ボタン部材１６と９０°回転した位置で係着されている。
【００７７】
図１４は連結部２の回動ロック部材を示す。図１５は回動片２８から見た該回動ロック部材の正面図である。
【００７８】
回動片２８、２９の外側端部には、夫々、蓋部材１８、１９が嵌入される蓋用凹部３０が凹設されている。回動片２８の中空内周に沿って押ボタン側ロック係合部１４に係合可能な複数の第１ロック係合部３１〜３７が設けられている。第１ロック係合部３１〜３７は回動片２８内周を切り欠いた凹部により、押ボタン側ロック係合部１４を外歯歯車として歯合し得るように内歯歯車形状に形成されている。
【００７９】
第１ロック係合部３１、３５は連結部２の長手方向の中心線Ｃ５に上に対向して形成されている。第１ロック係合部３３、３７は連結部２の長手方向の中心線Ｃ５に直交する横断線Ｃ３上に対向して形成されている。第１ロック係合部３２、３６は中心線Ｃ５と横断線Ｃ３の間に４５°をなして交差する交差線Ｃ４上に対向して形成されている。即ち、第１ロック係合部３１〜３７の中心はは互いに４５°ずつずれて配設されている。第１ロック係合部３１と第１ロック係合部３７の間には切欠きのない円弧部３８が設けられている。
【００８０】
第１ロック係合部３１、３３、３５が、夫々押ボタン側ロック係合部１４ａ、１４ｂ、１４ｃに嵌合して係合することによって、図１に示したように、連結部２（ハンドルＨ）が保持部１にほぼ平行に伏倒した伏倒状態Ｂ１になる。伏倒状態Ｂ１から、図１のＣＣＷ方向、つまり図１５の反時計回りに４５°回転して、第１ロック係合部３２、３４、３６が、夫々押ボタン側ロック係合部１４ａ、１４ｂ、１４ｃに嵌合して係合することによって、連結部２（ハンドルＨ）が保持部１に対して４５°傾斜した４５°傾斜状態Ｂ２になる。４５°傾斜状態Ｂ２からさらに４５°回転して、第１ロック係合部３３、３５、３７が、夫々押ボタン側ロック係合部１４ａ、１４ｂ、１４ｃに嵌合して係合することによって、連結部２（ハンドルＨ）が保持部１に対して９０°傾斜した９０°傾斜状態Ｂ３になる。
【００８１】
９０°傾斜状態Ｂ３からさらに４５°回転させても円弧部３８が障害となって、１４５°では３つの第１ロック係合部が押ボタン側ロック係合部１４と嵌合しないようになっている。勿論、円弧部３８に代えて、第１ロック係合部３１〜３７と同様のピッチで第１ロック係合部を凹設して１４５°でもロック係合可能にしてもよい。１４５°を超えて回転させると、第１ロック係合部３５、３７、３１が、夫々押ボタン側ロック係合部１４ａ、１４ｂ、１４ｃに嵌合して係合することによって伏倒状態Ｂ１と逆向きに、連結部２（ハ
ンドルＨ）が保持部１側に１８０°回転してほぼ平行に伏倒した逆伏倒状態Ｂ４になる。逆伏倒状態Ｂ４でも清掃に供し得るが、逆伏倒状態Ｂ４はハンドルＨを折り畳んで全体的に短縮した状態になるので未使用時の清掃具の保管、収納に適する。以上のように、本実施形態においては、ハンドルＨの向きを伏倒状態Ｂ１、４５°傾斜状態Ｂ２、９０°傾斜状態Ｂ３及び逆伏倒状態Ｂ４の４態様に切り替えることができる。なお、図１においてはこれらの態様を連結部４の軸芯方向で示している。
【００８２】
一方の回動片２８と対向する他方の回動片２９には、第１ロック係合部３１〜３７と同様にして、回動片２９内周を切り欠いた凹部により第２ロック係合部４０〜４６が形成されている。抜止部材１７の蓋部材１９の内側には、抜止側ロック係合部１７ａ〜１７ｃが形成されている。第２ロック係合部４０〜４６は抜止側ロック係合部１７ａ〜１７ｃを外歯歯車として歯合し得るように内歯歯車形状に形成されている。
【００８３】
押ボタン側ロック係合部１４ａ〜１４ｃは、図７及び図８に示したように、水平側に位置する押ボタン側ロック係合部１４ａ、１４ｃに対して押ボタン側ロック係合部１４ｂは中央上方に位置している。抜止部材１７は可動体１０に対して非押ボタン部材１６と９０°回転した位置で係着されているので、抜止側ロック係合部１７ａ〜１７ｃは、押ボタン側ロック係合部１４ａ〜１４ｃを１８０°反転した位置関係に設けられている。即ち、水平側に位置する抜止側ロック係合部１７ａ、１７ｃに対して抜止側ロック係合部１７ｂは中央下方に位置している。第２ロック係合部４０〜４６は、第１ロック係合部３１〜３７と押ボタン側ロック係合部１４ａ〜１４ｃとのロック係合位置に応じて抜止側ロック係合部１７ａ〜１７ｃに係合可能になっている。第２ロック係合部４０と第２ロック係合部４６の間には、上記１８０°の反転関係から円弧部３８に対応する円弧部３９が設けられている。
【００８４】
従って、ロック係合の際には第１ロック係合部３１〜３７と押ボタン側ロック係合部１４との係合に加え、第２ロック係合部４０〜４６を抜止側ロック係合部１７ａ〜１７ｃに係合させて２重係合状態にしてより強固に傾斜角度を保持することができる。押圧力の付加により可動体１０が幅方向に移動することに伴い抜止部材１７が外方に移動するので、第１ロック係合部３１〜３７と押ボタン側ロック係合部１４との係合解除と共に抜止側ロック係合部１７ａ〜１７ｃと第２ロック係合部４０〜４６との係合も解除され、連結部２を回動可能時状態に移行させ、傾斜角度変更の操作を円滑に行うことができる。
【００８５】
本実施形態に係る清掃具は上記の構成を有し、次のようにして組み立てられている。即ち、スプリング６を内装溝７に内装しておき、可動体１０を貫通孔部４内に内装溝７の開放口側より挿入して摺動用係合部１２は保持部１の幅方向に沿って摺動可能に摺動案内部９ａ〜９ｃに嵌合して係合させられる。ついで、除去部８を介してスプリング当接部１３がスプリング６の端部に対向するように可動体１０は貫通孔部４内に該幅方向に摺動自在に収納した状態で、回動ロック部材が頭部３に外嵌される。更に、各押ボタン部材の内挿部２０〜２３を中空部１１の両端側から挿入して各回動片を蓋部材１８、１９で規制すると共に可動体１０を挟持するように係着手段（中空部内の条溝１５、内挿部２０〜２３の係止部２５、２７を備えた係止片２４、２６）を介して可動体１０に各押ボタン部材が係着される。
【００８６】
ハンドルＨを所定の傾斜角度にして掃除具を使用する場合、いずれかの係合位置で押ボタン側ロック係合部１４ａ〜１４ｃを第１ロック係合部３１〜３７にロック係合させると共に、該係合位置に応じた位置で抜止側ロック係合部１７ａ〜１７ｃを第２ロック係合部４０〜４６にロック係合させた強固な２重ロック係合状態により使用される。
【００８７】
図１６は、清掃具のハンドルを伏倒状態にしたときの頭部３付近の水平断面を示す部分
切欠斜視図であり、同図（１６Ａ）は該伏倒状態のロック係合状態を示し、同図（１６Ｂ）は該伏倒状態のロック係合の解除状態を示す。図１７は、払拭体保持具Ａに用いるスプリング６とスプリング当接部１３との当接状態を示す部分切欠き断面図である。
【００８８】
係合位置を変更する際には、（１６Ａ）の伏倒状態のロック係合状態を例にして説明すると、スプリング当接部１３の当接によってスプリング６のバネ力に抗して押ボタン部材１６を外側から押圧力を付加することにより、押ボタン部材１６と可動体１０と抜止部材１７を保持部１の幅方向に摺動させることができる。この可動体１０の抜止部材１７側への移動によって押ボタン側ロック係合部１４ａ〜１４ｃと第１ロック係合部３１〜３７とのロック係合が解除されるので、回動ロック部材（連結部２を介してハンドルＨ）は可動体１０の軸芯の回りに回動可能になる。ハンドルＨを連結部２を通じて回動させ所望の係合位置まで回動させた状態で該押圧力を除くことによって、スプリング６のバネ付勢力を受けて押ボタン部材１６と可動体１０と抜止部材１７はロック係合可能に逆方向に摺動復帰し、該別の係合位置で再びロック係合させることができる。特に、本実施形態においては環状溝７に内装されたスプリング６による弾性付勢力によって可動体１０を保持部１の幅方向に移動自在にすることによりロック係合動作あるいはロック係合解除動作を可能にしているので、押ボタン操作を繰り返し行っても押圧力が該幅方向に加わるだけで保持部１の板厚方向への負荷とはならず保持部１の座屈変形を生じさせずに済み、掃除具の耐久性の向上に寄与することができる。
【００８９】
本発明においては単一のスプリング当接部を設けてもよいが、スプリング当接部１３ａ〜１３ｂは複数の除去部８を内装溝７に対して対称状に形成し、各除去部毎に遊通するように設けているので、環状溝７に内装したスプリング６の環状端部の複数箇所においてスプリング当接部１３が均一に又は略均一に当接させることができる。従って、外部押圧力のスプリング６への付加と、スプリング６からのスプリング当接部１３へのスプリング付勢力の伝達を確実に行え、押ボタン部材１６の突没動作を円滑化した片側押ボタン型払拭体保持具Ａを実現することができる。なお、均一な当接状態を得るのは、スプリング当接部の個数を２又は４以上にすることができる。
【００９０】
本実施形態によれば、保持部１とハンドルＨを相対的に回動させるときには、例えば、保持部１側を床面等に添えて押ボタン部材１６の蓋部材１８の表面を手指で片押し操作すると保持部１がハンドルＨに対して図１のＣＣＷ方向、あるいは逆の時計回り方向ＣＷに回動傾斜自在になるロック解除構造を有するので、片押しボタン操作によって傾斜角度の切替操作を簡易に行うことができる。
【００９１】
また、本実施形態においては、可動体１０の押ボタン側ロック係合部１４を回動ロック部材の第１ロック係合部３１〜３７にロック係合させることにより、保持部１をハンドルＨに対して所定角度にロックするロック機能部を有すると共に、押ボタン部材１６を可動体１０に係着して該ロック機能部と一体化されて自由回転が規制され、しかも押ボタン部材１６を押圧したままで押ボタンを手指の摩擦力で回転（自転）させると保持部も一体に回動する構造になっている。このため、汚れた払拭体を全く触らずに保持部を回動傾斜できるから衛生状態が改善され、適当な傾斜位置で手指を脱離すると押ボタン部材１６がスプリング６のばね付勢力で復帰して保持部１が所定の傾斜状態で固定、保持されるので、回動可能状態と回動不能状態の切り換え操作を簡易に行うことができる。
【００９２】
更に、本実施形態によれば、可動体１０を押ボタン部材１６及び抜止部材１７により保持部１の幅方向に摺動自在に挟着する挟着構造を有するので、これらの押ボタン部材の抜け止めを確実堅固にして耐久性を向上させることができる。
以上のように、払拭体Ｍを装着して、ハンドルＨを適当な角度に傾斜させることにより、電灯や棚やタンス等の上側の見え難い部分の清掃を簡単に行える清掃具を提供すること
ができる。
【００９３】
本実施形態における押ボタン側ロック係合部１４と第１ロック係合部３１〜３７は外歯歯車と内歯歯車の歯合形状に形成しているので、歯合位置によって頭部３の軸芯の回りにおける係合位置の組合せを複数にして、回動可能状態においてハンドルＨを回動させることにより簡単且つ確実に歯合位置を切り替えることができ、種々の傾斜角度への切替操作の簡易化を促進することができる。
【００９４】
摺動案内部９と摺動用係合部１２は互いに嵌合し合う凸部と凹部により形成したので、可動体１０を頭部３に対して保持部１の幅方向に摺動可能にすると共に、頭部３の中心軸回りの自転を規制する機能を簡単な機構で付加することができ、回動可能状態と回動不能状態の切り換え操作を簡易化することができる。なお、可動体１０に設けた摺動用係合部１２を摺動案内部９に嵌入させて摺動可能に係合させる摺動機構を用いて可動体１０を貫通孔部４内で軸芯方向に摺動自在にしているが、摺動案内部９を凹状案内部に形成し、且つ摺動用係合部１２を凸状係合部に形成して、これらの凹状案内部と凸状係合部を嵌入係合させる摺動機構を用いて可動体１０を摺動自在にするようにしてもよい。
【００９５】
係止片２４、２６を条溝１５に沿って撓ませながら各押ボタン部材の内挿部を中空部１１の両端側から挿入して、該係止片の撓み反発力によって押ボタン部材１６と抜止部材１７により可動体１０を挟持することによって、押ボタン部材１６及び抜止部材１７による可動体１０の挟着構造を簡単に構成して、且つ確実堅固な押ボタン部材抜け止め機能を付与することができる。
【００９６】
更に、本実施形態においては、内装溝７を頭部３の外周と貫通孔部４の内周との間に同心円状に刻設して形成し、スプリング６を貫通孔部４の該幅方向に沿った横向き状態で内装溝７に内装した付勢手段を有するので、単一のスプリングを用いてロック係合のために押ボタン部材１６にスプリング力を付勢するスプリング力付勢機構を設けることができ、しかも、傾斜角度切替機構を簡単な構造にして、確実にロック係合状態に復帰させることができる。なお、本発明における付勢手段は、頭部３外周に内装する単一のスプリング６を用いた付勢手段に限らず、例えば、各スプリング当接部に当接可能な複数のスプリングを収納するスプリング収納部を複数個、頭部２に形設した付勢手段を使用することができる。
【００９７】
本実施形態においては、各回動片の外側に蓋部材１８、１９が嵌入する蓋用凹部３０を凹設し、押ボタン部材１６を押圧操作し始めてから、該蓋部材の裏側が蓋用凹部３０の底部に当接するまでの押圧操作ストローク（図１６（１６Ａ）の蓋部材１８の沈み量ｔ１と、同図（１６Ｂ）の押圧時の突出量ｔ２の合計）において押ボタン側ロック係合部１４と第１ロック係合部３１〜３７とのロック係合が解除されるので、押ボタン部材１６及び抜止部材１７によって、可動体１０と一緒に各回動片も挟着、保持し得る挟着機能を具備して、より堅固な傾斜角度切替機能を有した片側押ボタン型払拭体保持具を備え掃除具を実現することができる。
【００９８】
本発明は、上記実施形態や変形例に限定されるものではなく、本発明の技術的思想を逸脱しない範囲における種々変形例、設計変更などをその技術的範囲内に包含するものであることは云うまでもない。
【産業上の利用可能性】
【００９９】
以上詳述したように、本発明に係る片側押ボタン型払拭体保持具及び清掃具は、特に室内の目に見え難い高い場所、例えば電灯やタンスや棚等の上側面などを清掃する場合に、払拭体を装着した保持部をハンドルに対し適当角度だけ傾斜させ、使用者はハンドルを把
持して傾斜させた払拭体を清掃面に当接させて往復させるだけで該上側面などを清掃することが可能になる。しかも、本発明では、手指により片側の押ボタンを押圧するだけで保持部を所望角度に傾斜固定できるから、手指が払拭体により汚染される可能性を極減できる。しかも、強固な傾斜角度切替構造をハンドルには何ら関係しない保持部側に設けているので、片側押ボタン型払拭体保持具の耐久性を一段と向上することができる。従って、レンタルモップ業界や売り切りモップ業界の業態の活性化に貢献することができる。
【符号の説明】
【０１００】
Ａ          片側押ボタン型払拭体保持具
Ｈ          ハンドルＨ
Ｈ１        連結管部
Ｇ          グリップ部
Ｍ          払拭体
１          保持部
１Ａ        長手状本体
１Ｂ        台座部
２          連結部
３          頭部
４          貫通孔部
６          スプリング
７          内装溝
８          除去部
９ａ        摺動案内部
９ｂ        摺動案内部
９ｃ        摺動案内部
１０          可動体
１１          中空部
１２          摺動用係合部
１３ａ        スプリング当接部
１３ｂ        スプリング当接部
１３ｃ        スプリング当接部
１３ｄ        突出部
１４ａ        押ボタン側ロック係合部
１４ｂ        押ボタン側ロック係合部
１４ｃ        押ボタン側ロック係合部
１５          条溝
１６          押ボタン部材
１７          抜止部材
１７ａ        抜止側ロック係合部
１７ｂ        抜止側ロック係合部
１７ｃ        抜止側ロック係合部
１８          蓋部材
１９          蓋部材
２０          内挿部
２１          内挿部
２２          内挿部
２３          内挿部
２４          係止片
２５          係止部
２６          係止片
２７          係止部
２８          回動片
２９          回動片
３０          蓋用凹部
３１          第１ロック係合部
３２          第１ロック係合部
３３          第１ロック係合部
３４          第１ロック係合部
３５          第１ロック係合部
３６          第１ロック係合部
３７          第１ロック係合部
３８          円弧部
３９          円弧部
４０          第２ロック係合部
４１          第２ロック係合部
４２          第２ロック係合部
４３          第２ロック係合部
４４          第２ロック係合部
４５          第２ロック係合部
４６          第２ロック係合部
４７          内側外周
４８          外側外周
４９          連結端部
５０          蓋側根元部
５１          開放部分
５２          蓋側根元部
５３          開放部分
１２２      スポンジ挟み
１２３      スポンジ挟み
１３１      Ｕ型連結片
１３２      内歯
２２１      突起
２３１      ブラケットサポート
２３２      連動ユニット
２３３      スプリング
２３４      押し部材
２３５      軸桿
３１１      雄ネジ形成部
３１２      固定用グリップ
３１３      雌ネジ形成部
３１４      凹凸形成部
３１５      ボス
２３１１    ブラケットプレート
２３１２    内歯
２３２１    軸孔
２３２２    リング状突起
２３２３    ギヤ
２３４１    軸孔
２３４２    突き当て部
２３５１    リング状切欠
【図１】
0006490537.tif 000002
【図２】
0006490537.tif 000003
【図３】
0006490537.tif 000004
【図４】
0006490537.tif 000005
【図５】
0006490537.tif 000006
【図６】
0006490537.tif 000007
【図７】
0006490537.tif 000008
【図８】
0006490537.tif 000009
【図９】
0006490537.tif 000010
【図１０】
0006490537.tif 000011
【図１１】
0006490537.tif 000012
【図１２】
0006490537.tif 000013
【図１３】
0006490537.tif 000014
【図１４】
0006490537.tif 000015
【図１５】
0006490537.tif 000016
【図１６】
0006490537.tif 000017
【図１７】
0006490537.tif 000018
【図１８】
0006490537.tif 000019
【図１９】
0006490537.tif 000020